(57)【要約】【課題】底壁の曲げ剛性をその広がる面上の全方向に亘ってより向上できる潅水トレーを提供する。【解決手段】苗ポットを収納する合成樹脂製の潅水トレー１０は、底壁１２を有するトレー本体１１を備え、底壁１２は、第１上底寸法で底部から上げ底され、その長手方向に延在する複数の第１突条１４と、第１上底寸法よりも小さい第２上底寸法で底壁１２から上げ底され、複数の第１突条１４を横断する状態で底壁１２の短手方向に延在する複数の第２突条１５とを有する。【選択図】図１
2019195291.tif 000002
【特許請求の範囲】
【請求項１】
苗ポットを収納する合成樹脂製の潅水トレーであって、
底壁を有するトレー本体を備え、
前記底壁は、
第１上底寸法で底部から上げ底され、第１方向に延在する複数の第１突条と、
前記第１上底寸法よりも小さい第２上底寸法で前記底部から上げ底され、前記複数の第１突条を横断する状態で前記第１方向と交差する第２方向に延在する複数の第２突条とを有した、潅水トレー。
【請求項２】
請求項１に記載の潅水トレーにおいて、
前記底壁は、平面視で四角形状を呈しており、
前記第１方向は、前記底壁の長手方向に一致する、潅水トレー。
【請求項３】
請求項１又は２に記載の潅水トレーにおいて、
前記複数の第２突条の各々には、各隣り合う前記第１突条の間で、前記第２上底寸法よりも小さい第３上底寸法で前記底部から上げ底されて連通する連通部が形成された、潅水トレー。
【請求項４】
請求項１〜３のいずれか一項に記載の潅水トレーにおいて、
前記トレー本体の開口の周縁に沿って延設された外向きのフランジ部、及び該フランジ部に沿って延設されて下方に延びる下延部を有する保持部を備え、
前記下延部には、外向きに複数の凸部が突設された、潅水トレー。
【請求項５】
請求項４に記載の潅水トレーにおいて、
前記フランジ部には、下向きに複数の凹部が形成された、潅水トレー。
【発明の詳細な説明】
【技術分野】
【０００１】
本発明は、苗ポットを収納する潅水トレーに関するものである。
【背景技術】
【０００２】
従来、苗ポットを収納する潅水トレーとして種々のものが提案されている。こうした潅水トレーでは、薄肉化・軽量化が求められるとともに、十分な強度の確保が求められる。
例えば特許文献１の潅水トレーでは、その長方形板状の底壁は、底部から上げ底された複数の突条を有する。これら複数の突条は、底壁の短手方向に並設された状態で長手方向に延在する。これら複数の突条によって底壁の曲げ剛性（断面二次モーメント）が向上されていると推定される。
【先行技術文献】
【特許文献】
【０００３】
【特許文献１】意匠登録第１２６９６４３号公報
【発明の概要】
【発明が解決しようとする課題】
【０００４】
ところで、特許文献１の潅水トレーは、複数の突条によって底壁の長手方向においてのみその曲げ剛性が向上されるもので、その広がる面上の全方向に亘って底壁の曲げ剛性の向上を期待できるものではない。
【０００５】
本発明の目的は、底壁の曲げ剛性をその広がる面上の全方向に亘ってより向上できる潅水トレーを提供することにある。
【課題を解決するための手段】
【０００６】
上記課題を解決する潅水トレーは、苗ポットを収納する合成樹脂製の潅水トレーであって、底壁を有するトレー本体を備え、前記底壁は、第１上底寸法で底部から上げ底され、第１方向に延在する複数の第１突条と、前記第１上底寸法よりも小さい第２上底寸法で前記底部から上げ底され、前記複数の第１突条を横断する状態で前記第１方向と交差する第２方向に延在する複数の第２突条とを有する。
【０００７】
この構成によれば、前記底壁は、互いに異なる上底寸法（第１及び第２上底寸法）で前記底部から上げ底されて、互いに異なる方向（第１及び第２方向）に延在する前記複数の第１及び第２突条を有することで、その広がる面上の全方向に亘って前記底壁の曲げ剛性をより向上できる。
【０００８】
上記潅水トレーについて、前記底壁は、平面視で四角形状を呈しており、前記第１方向は、前記底壁の長手方向に一致することが好ましい。
この構成によれば、相対的に上底寸法が大きい前記複数の第１突条が前記底壁の長手方向（第１方向）に延在することで、当該長手方向において前記底壁の曲げ剛性をより向上できる。例えば使用者が潅水トレーを運搬する際、その長手方向両端を両手で掴んで保持しやすくなっていて、当該長手方向に合わせて前記底壁の曲げ剛性がより向上されることで、より安定した状態で潅水トレーを運搬できる。
【０００９】
上記潅水トレーについて、前記複数の第２突条の各々には、各隣り合う前記第１突条の間で、前記第２上底寸法よりも小さい第３上底寸法で前記底部から上げ底されて連通する連通部が形成されることが好ましい。
【００１０】
この構成によれば、前記底部は、各隣り合う前記第１突条の間で、前記連通部を介して前記第１方向に連通する。従って、所定箇所から前記底部に供給した水を前記連通部を介して前記第１方向により円滑に流すことができる。
【００１１】
上記潅水トレーについて、前記トレー本体の開口の周縁に沿って延設された外向きのフランジ部、及び該フランジ部に沿って延設されて下方に延びる下延部を有する保持部を備え、前記下延部には、外向きに複数の凸部が突設されることが好ましい。
【００１２】
この構成によれば、前記保持部は、前記トレー本体との協働で断面逆Ｕ字形状を呈するため、当該形状の内側に指を差し入れることでいっそう安定した状態で潅水トレーを運搬できる。この際、前記複数の凸部によって前記保持部の曲げ剛性をより向上でき、例えば前記保持部の変形によって指から外れる可能性をより低減できる。
【００１３】
上記潅水トレーについて、前記フランジ部には、下向きに複数の凹部が形成されることが好ましい。
この構成によれば、前記複数の凹部によって前記保持部の曲げ剛性をいっそう向上でき、例えば前記保持部の変形によって指から外れる可能性をいっそう低減できる。
【発明の効果】
【００１４】
本発明は、底壁の曲げ剛性をその広がる面上の全方向に亘ってより向上できる効果がある。
【図面の簡単な説明】
【００１５】
【図１】潅水トレーの一実施形態についてその構造を示す平面図。
【図２】図１の２−２線に沿った断面図。
【図３】同実施形態の潅水トレーについてその構造を示す斜視図。
【図４】同実施形態の潅水トレーについてその構造を簡略化して示す斜視図。
【発明を実施するための形態】
【００１６】
以下、潅水トレーの一実施形態について説明する。
図４に示すように、潅水トレー１０は、シート成型（「真空成型」ともいう）で形成された合成樹脂（例えばＰＥＴ）製であって、複数（本実施形態では最大１２個）の苗ポットＰを収納するためのものである。この潅水トレー１０は、上方に開口１１ａを有する長方形の盛り皿状のトレー本体１１を備える。このトレー本体１１は、平面視で長方形状（四角形状）を呈する底壁１２を有する。
【００１７】
図１及び図２に示すように、底壁１２は、最深部となる底部１３から所定の第１上底寸法Ｈ１で台状に上げ底された複数（本実施形態では６つ）の第１突条１４を有する。これら複数の第１突条１４は、底壁１２の短手方向に並設されて長手方向（第１方向）に延在する。また、底壁１２は、底部１３から第１上底寸法Ｈ１よりも小さい所定の第２上底寸法Ｈ２で台状に上げ底された複数（本実施形態では６つ）の第２突条１５を有する。これら複数の第２突条１５は、底壁１２の長手方向に並設されて複数の第１突条１４を横断する状態で短手方向（第１方向と交差する第２方向）に延在する。つまり、複数の第１及び第２突条１４，１５の交差部では、底部１３から第２上底寸法Ｈ２で上げ底されている。
【００１８】
さらに、複数の第２突条１５の各々には、各隣り合う第１突条１４の間で、第２上底寸法Ｈ２よりも小さい第３上底寸法Ｈ３で底壁１２から上げ底された連通部１６が形成されている。また、複数の第２突条１５の各々には、最外側に位置する一対の第１突条１４を通過する両端部で同様に連通部１６が形成されている。換言すれば、各第２突条１５は、各隣り合う第１突条１４の間等に配置された連通部１６によって段差Δ（＝Ｈ２−Ｈ３）だけ下げ底されている。これにより、底部１３は、各隣り合う第１突条１４の間で、連通部１６を介して底壁１２の長手方向（第１方向）に連通する。
【００１９】
なお、第１突条１４の幅寸法（底壁１２の短手方向における寸法）は、第２突条１５の幅寸法（底壁１２の長手方向における寸法）よりも大きく設定されている。加えて、隣り合う第１突条１４の間の離間距離は、隣り合う第２突条１５の間の離間距離よりも小さく設定されている。これにより、底部１３からの上底寸法が最大（第１上底寸法Ｈ１）となる領域が底壁１２全体で最も広く占有している。
【００２０】
潅水トレー１０は、トレー本体１１の開口１１ａの周縁に接続された四角枠状の保持部２１を備える。この保持部２１は、開口１１ａの周縁に沿って延設された外向きのフランジ部２２、及び該フランジ部２２に沿って延設されて下方（より厳密には外向きに僅かに傾いた下方）に延びる下延部２３を有する。これにより、保持部２１は、トレー本体１１（側壁）との協働で断面逆Ｕ字形状を呈する。当該逆Ｕ字形状の開口寸法は、例えば人の指の太さに基づき設定されている。つまり、保持部２１等は、開口１１ａの周縁の全周に亘って人の指の太さに合わせて下方に開口している。
【００２１】
図３に示すように、フランジ部２２には、四隅を除いた略全周に亘って下向きに複数の凹部２４が連続形成されている。各凹部２４は、開口１１ａに近付く基端側及び開口１１ａから離間する先端側に互いに同一形状となる三角形の溝状の内側凹部２４ａ及び外側凹部２４ｂをそれぞれ有するとともに、それら内側凹部２４ａ及び外側凹部２４ｂ間に当該三角形の角部を水平に上げ底してなる台形の溝状の中間凹部２４ｃを有する。
【００２２】
同様に、下延部２３には、四隅を除いた略全周に亘って外向きに複数の凸部２５が連続形成されている。各凸部２５は、外側凹部２４ｂの三角形の２辺に２辺が一致する三角形の屋根形状を呈する。つまり、凸部２５は、複数の凹部２４と同数になるようにそれらの配置に合わせて配設されている。開口１１ａの周縁に沿う凸部２５（及び凹部２４）の寸法は、例えば人の指の太さに基づき設定されている。
【００２３】
なお、フランジ部２２の四隅の各々には、円弧状の切り欠き２２ａが形成されており、トレー本体１１には、各切り欠き２２ａに繋がる有底部分円筒状の給水口１１ｂが形成されている。各給水口１１ｂは、底壁１２の四隅の各々に位置する底部１３の上方に位置する。各給水口１１ｂは、水道ホースやＰＥＴボトルなどの給水タンクの筒状の給水部を挿入するためのものである。従って、水道ホース等の水は、給水口１１ｂから底部１３の該当する四隅へと供給される。
【００２４】
本実施形態の作用及び効果について説明する。
（１）本実施形態では、底壁１２は、互いに異なる上底寸法（第１及び第２上底寸法Ｈ１，Ｈ２）で底部１３から上げ底されて、互いに異なる方向（底壁１２の長手方向及び短手方向）に延在する複数の第１及び第２突条１４，１５を有することで、その広がる面上の全方向に亘って底壁１２の曲げ剛性をより向上できる。
【００２５】
（２）本実施形態では、相対的に上底寸法が大きい複数の第１突条１４が底壁１２の長手方向に延在することで、当該長手方向において底壁１２の曲げ剛性をより向上できる。例えば使用者が潅水トレー１０を運搬する際、その長手方向両端を両手で掴んで保持する傾向にあり、当該長手方向に合わせて底壁１２の曲げ剛性がより向上されることで、より安定した状態で潅水トレー１０を運搬できる。
【００２６】
（３）本実施形態では、複数の第２突条１５の各々には、各隣り合う第１突条１４の間で、第２上底寸法Ｈ２よりも小さい第３上底寸法Ｈ３で底壁１２から上げ底されて連通する連通部１６が形成されている。従って、底部１３は、各隣り合う第１突条１４の間で、連通部１６を介して底壁１２の長手方向に連通する。従って、所定箇所から底部１３に供給した水を連通部１６を介して底壁１２の長手方向により円滑に流すことができる。
【００２７】
（４）本実施形態では、トレー本体１１の開口１１ａの周縁に沿って延設された外向きのフランジ部２２、及び該フランジ部２２に沿って延設されて下方に延びる下延部２３を有する保持部２１を備える。保持部２１は、トレー本体１１（側壁）との協働で断面逆Ｕ字形状を呈するため、当該形状の内側に指を差し入れることでいっそう安定した状態で潅水トレー１０を運搬できる。この際、複数の凸部２５によって保持部２１の曲げ剛性をより向上でき、例えば保持部２１の変形によって指から外れる可能性をより低減できる。
【００２８】
（５）本実施形態では、フランジ部２２には、下向きに複数の凹部２４が形成されている。従って、複数の凹部２４によって保持部２１の曲げ剛性をいっそう向上でき、例えば保持部２１の変形によって指から外れる可能性をいっそう低減できる。
【００２９】
（６）本実施形態では、底部１３からの上底寸法が最大（第１上底寸法Ｈ１）となる領域が底壁１２全体で最も広く占有していることで、潅水トレー１０に収納する苗ポットＰをより安定した状態で支持できる。
【００３０】
（７）本実施形態では、潅水トレー１０をシート成型で形成したことで、例えばインジェクション成型で形成する場合に比べてより薄肉化・軽量化できる。
（８）本実施形態では、潅水トレー１０の四隅の各々に水道ホースやＰＥＴボトルなどの給水タンクの筒状の給水部を挿入するための給水口１１ｂを設けたことで、例えば苗ポットＰがぎっしり入っていたとしても、いずれかの給水口１１ｂから苗を濡らすことなく簡単に水やりできる。
【００３１】
（９）本実施形態では、苗ポットＰの下方では、いずれかの給水口１１ｂから底部１３に供給した水が複数の第２突条１５を介して底壁１２の長手方向及び短手方向に流れることで、例えば苗ポットＰがぎっしり入っていたとしても、満遍なく行き渡らせることができる。
【００３２】
（１０）本実施形態では、保持部２１の凹部２４及び凸部２５の寸法が人の指の太さに基づき設定されていることで、例えば潅水トレー１０の運搬時にトレー本体１１及び保持部２１の間に挿入した指を滑りにくくできる。
【００３３】
（１１）本実施形態では、保持部２１等の断面逆Ｕ字形状の開口寸法を人の指の太さに基づき設定したことで、例えば潅水トレー１０の運搬時に指を容易に挿入できる。
本実施形態は、以下のように変更して実施することができる。本実施形態及び以下の変更例は、技術的に矛盾しない範囲で互いに組み合わせて実施することができる。
【００３４】
・前記実施形態において、フランジ部２２の凹部２４は、その全体が三角形の溝状であってもよい。あるいは、凹部２４は、Ｕ字形の溝状であってもよい。
・前記実施形態において、フランジ部２２の全周に亘って複数の凹部２４を形成してもよい。
【００３５】
・前記実施形態において、フランジ部２２の複数の凹部２４を省略してもよい。
・前記実施形態において、下延部２３の凸部２５は、円弧面状であってもよい。
・前記実施形態において、下延部２３の全周に亘って複数の凸部２５を形成してもよい。
【００３６】
・前記実施形態において、下延部２３の複数の凸部２５を省略してもよい。
・前記実施形態において、保持部２１は、開口１１ａの周縁の一部で途切れていてもよい。あるいは、保持部２１を省略してもよい。
【００３７】
・前記実施形態において、第２突条１５の連通部１６を省略してもよい。つまり、第２突条１５は、各隣り合う第１突条１４の間等でも第２上底寸法Ｈ２で底壁１２から上げ底されていてもよい。
【００３８】
・前記実施形態において、第１及び第２突条１４，１５は、互いに異なる方向に延在するのであれば、それらの延在する方向は任意である。例えば第１及び第２突条１４，１５は、底壁１２の短手方向及び長手方向にそれぞれ延在していてもよい。あるいは、第１及び第２突条１４，１５は、底壁１２の短手方向及び長手方向に対して傾斜する方向にそれぞれ延在していてもよい。あるいは、第１及び第２突条１４，１５は、互いに交差する方向に延在するのであれば、直交していなくてもよい。
【００３９】
・前記実施形態においては、平面視で長方形状を呈する底壁１２を採用したが、例えば正方形や平行四辺形などの四角形状を呈する底壁１２を採用してもよい。あるいは、平面視で円形や長円形状を呈する底壁１２を採用してもよい。
【００４０】
・前記実施形態において、潅水トレー１０は、ＡＢＳ、ＡＥＳ、ＰＭＭＡ、ＰＣ、ＰＰ、ＰＥ、ＰＳ、ＰＶＣなどの合成樹脂製であってもよい。
【符号の説明】
【００４１】
Ｐ…苗ポット、１０…潅水トレー、１１…トレー本体、１２…底壁、１３…底部、１４…第１突条、１５…第２突条、１６…連通部、２１…保持部、２２…フランジ部、２３…下延部、２４…凹部、２５…凸部。
【図１】
2019195291.tif 000003
【図２】
2019195291.tif 000004
【図３】
2019195291.tif 000005
【図４】
2019195291.tif 000006